(57)【特許請求の範囲】
【請求項１】
身体の胸腹部を被覆可能なプロテクター本体の外面側に複数の衝撃吸収用の緩衝凸部が形成されている野球又はソフトボール用プロテクターの緩衝構造であって、
前記プロテクター本体は、内装材とマット状緩衝材と外装材との積層構造で構成され、
前記緩衝凸部が、前記プロテクター本体のマット状緩衝材と外装材との間に緩衝凸部の突出代に相当する厚み寸法の緩衝層を配して構成され、
前記緩衝層が、素材種の異なる複数の緩衝部材を緩衝層厚み方向に並ぶ状態に積層して構成されているとともに、
複数の前記緩衝部材のうちの一部の緩衝部材として、半固形状のゲル状素材からなるゲル状緩衝部材が備えられ、
前記ゲル状緩衝部材とそれに対する緩衝層厚み方向における隣接部材とが非接着となる状態で前記ゲル状緩衝部材が配されている野球又はソフトボール用プロテクターの緩衝構造。
【請求項２】
複数の前記緩衝部材のうちの一部の緩衝部材として、発泡樹脂素材からなる発泡樹脂緩衝部材が備えられているとともに、
前記ゲル状緩衝部材と前記発泡樹脂緩衝部材とが緩衝層厚み方向で互いに隣接する状態で配されている請求項１記載の野球又はソフトボール用プロテクターの緩衝構造。
【請求項３】
前記ゲル状緩衝部材が、緩衝層厚み方向において前記発泡樹脂緩衝部材のプロテクター外面側に配されている請求項２記載の野球又はソフトボール用プロテクターの緩衝構造。
【請求項４】
前記ゲル状緩衝部材の厚み寸法が、前記発泡樹脂緩衝部材の厚み寸法よりも小さい寸法に構成されている請求項２又は３記載の野球又はソフトボール用プロテクターの緩衝構造。
【発明の詳細な説明】
【技術分野】
【０００１】
本発明は、胸腹部への衝撃による怪我を抑止するために野球やソフトボール等のキャッチャーや審判が装着する野球又はソフトボール用プロテクターの緩衝構造に関する。
【背景技術】
【０００２】
この種のプロテクターは、ボール等による衝撃を低減することを主目的とし、基本的に、身体の胸腹部を被覆可能なプロテクター本体の外面側に複数の衝撃吸収用の緩衝凸部が形成されている。
【０００３】
そして従来、ボールを捕球し損ねた際のキャッチャーの次の送球動作を素早く行なえるようにする等のために、ボールがプロテクターに衝突したときの撥ね返りを抑えるべく、このプロテクターの緩衝構造として、反発性能の低い固形状の素材（具体的には、ＥＶＡ  ＶＮ６００、ゴムスポンジ、ＥＰＥ３８倍フォームなど）からなる緩衝部材により前記緩衝凸部を構成するものが知られている（例えば、下記特許文献１参照）。
【先行技術文献】
【特許文献】
【０００４】
【特許文献１】特開平２００６−２８０４２６号公報
【発明の概要】
【発明が解決しようとする課題】
【０００５】
ところが、反発性能の低い固形状の素材からなる緩衝部材で緩衝凸部を構成する上記従来の緩衝構造では、反発性能はある程度低減し得るものの未だ一層の反発性能の低減が望まれ、しかも、基本的に要求される緩衝性能については、反発性能の低い固形状の素材に高い緩衝性能を併せ備えるものがないため、緩衝構造として十分な緩衝性能を得ることが難しくなり、これらのことで、プロテクターの緩衝構造として満足な実用性が得られない問題があった。
【０００６】
この実情に鑑み、本発明の主たる課題は、合理的な構成を採ることで、低い反発性能と高い緩衝性能とを兼ね備えた実用性の高い野球又はソフトボール用プロテクターの緩衝構造を提供する点にある。
【課題を解決するための手段】
【０００７】
身体の胸腹部を被覆可能なプロテクター本体の外面側に複数の衝撃吸収用の緩衝凸部が形成されている野球又はソフトボール用プロテクターの緩衝構造であって、
前記緩衝凸部が、前記プロテクター本体の内装材と外装材との間に緩衝凸部の突出代に相当する厚み寸法の緩衝層を配して構成され、
前記緩衝層が、素材種の異なる複数の緩衝部材を緩衝層厚み方向に並ぶ状態に積層して構成されているとともに、
複数の前記緩衝部材のうちの一部の緩衝部材として、半固形状のゲル状素材からなるゲル状緩衝部材が備えられていてもよい。
【０００８】
つまり、一般に半固形状のゲル状素材は、その変形特性として高粘性流体的な変形特性も有し、この高粘性流体的な変形特性は物体の衝突による衝撃に対して低い反発性能と高い緩衝性能とを効果的に発揮する。
【０００９】
従って、このような半固形状のゲル状素材からなるゲル状緩衝部材を用いて前記緩衝凸部を構成する上記構成によれば、その緩衝凸部に低い反発性能と高い緩衝性能とを兼ね備えさせることができる。
【００１０】
一方、ゲル状素材は一般に重いことから、前記緩衝層の全体を半固形状のゲル状素材からなるゲル状緩衝部材で構成すると、低い反発性能と高い緩衝性能は得られるものの、緩衝層の重量（ひいてはプロテクターの全体重量）が大きくなり、そのことで実用性の低下を招くが、積層する複数の緩衝部材のうちの一部の緩衝部材のみを半固形状のゲル状素材からなるゲル状緩衝部材にする上記構成であれば、他の緩衝部材に適当な素材のもの（軽量で、しかも、低い反発性能や高い緩衝能を得られるもの）を選定することで、緩衝層の重量増大も抑えることができる。
【００１１】
これらのことから、上記構成によれば、プロテクターの緩衝構造として低い反発性能と高い緩衝性能とを兼ね備え、また重量面でも問題のない実用性の高いものにすることができる。
【００１２】
本発明の第１特徴構成は、野球又はソフトボール用プロテクターの緩衝構造に係り、その特徴は、
身体の胸腹部を被覆可能なプロテクター本体の外面側に複数の衝撃吸収用の緩衝凸部が形成されている野球又はソフトボール用プロテクターの緩衝構造であって、
前記プロテクター本体は、内装材とマット状緩衝材と外装材との積層構造で構成され、
前記緩衝凸部が、前記プロテクター本体のマット状緩衝材と外装材との間に緩衝凸部の突出代に相当する厚み寸法の緩衝層を配して構成され、
前記緩衝層が、素材種の異なる複数の緩衝部材を緩衝層厚み方向に並ぶ状態に積層して構成されているとともに、
複数の前記緩衝部材のうちの一部の緩衝部材として、半固形状のゲル状素材からなるゲル状緩衝部材が備えられ、
前記ゲル状緩衝部材とそれに対する緩衝層厚み方向における隣接部材とが非接着となる状態で前記ゲル状緩衝部材が配されている点にある。
本発明の第２特徴構成は、第１特徴構成の実施に好適な構成であり、その特徴は、
複数の前記緩衝部材のうちの一部の緩衝部材として、発泡樹脂素材からなる発泡樹脂緩衝部材が備えられているとともに、
前記ゲル状緩衝部材と前記発泡樹脂緩衝部材とが緩衝層厚み方向で互いに隣接する状態で配されている点にある。
【００１３】
つまり、半固形状のゲル状素材からなるゲル状緩衝部材は、その高粘性流体的な変形特性のため、低い反発性能と高い緩衝性能を確実かつ安定して発揮し得る適切な装備状態を保つには何らかの支持が必要になる。
【００１４】
この点、上記構成によれば、緩衝層厚み方向でゲル状緩衝部材に隣接させた発泡樹脂緩衝部材により、半固形状のゲル状素材からなるゲル状緩衝部材を適度な面圧の面接触状態で弾性的に支持して、低い反発性能と高い緩衝性能を確実かつ安定して発揮し得る適切な装備状態に保持することができる。
【００１５】
そしてまた、このようにゲル状緩衝部材を弾性的に支持することで、半固形状のゲル状素材が備える高粘性流体的な変形特性を面方向及び緩衝層厚み方向の両方について十分に活かし得る状態（略言すれば、半固形状のゲル状素材からなるゲル状緩衝部材を拘束しない状態）でゲル状緩衝部材を支持することができる。
【００１６】
これらのことが相俟って、上記構成によれば、プロテクターの使用姿勢によらず、衝撃に対し低い反発性能と高い緩衝性能とを一層効果的かつ確実に発揮させることができて、プロテクターの緩衝構造として実用性の一層高いものにすることができる。
【００１７】
本発明の第３特徴構成は、第２特徴構成の実施に好適な構成であり、その特徴は、
前記ゲル状緩衝部材が、緩衝層厚み方向において前記発泡樹脂緩衝部材のプロテクター外面側に配されている点にある。
【００１８】
上記構成によれば、ボール等が衝撃吸収用の緩衝凸部に衝突したとき、緩衝層厚み方向においてゲル状緩衝部材のプロテクター内面側に位置する発泡樹脂緩衝部材の弾性変形により、ゲル状緩衝部材の窪み湾曲変形（曲げ変形）をバックアップ的に抑制することができる。
【００１９】
そして、このようにゲル状緩衝部材の窪み湾曲変形を抑制することで、衝突による衝撃に対して、半固形状のゲル状素材からなるゲル状緩衝部材の高粘性流体的な変形を緩衝部材の面方向へ拡散的に進行させることができる。
【００２０】
換言すれば、衝撃をゲル状緩衝部材の面方向へ効果的に分散させて、その分散衝撃成分の夫々に対してゲル状緩衝部材の高粘性流体的な変形を効果的に生じさせることができ、これにより、半固形状のゲル状素材からなるゲル状緩衝部材の高粘性流体的な変形特性を一層効果的に活用する形態にして、プロテクターの緩衝構造として低い反発性能と高い緩衝性能とをさらに効果的に発揮させることができる。
【００２１】
また、前記ゲル状緩衝部材が、半固形状のゲル状素材をシート状体で被覆して構成されているとともに、
前記ゲル状緩衝部材とそれに対する緩衝層厚み方向における隣接部材とが非接着となる状態で前記ゲル状緩衝部材が配されていてもよい。
【００２２】
つまり、半固形状のゲル状素材からなるゲル状緩衝部材を被覆のないそのままの状態で緩衝層中に配した場合、ゲル状素材特有の表面粘着性によりゲル状緩衝部材とそれに対する隣接部材とが接着状態になり、これが原因で、ゲル状緩衝部材を面方向について拘束する傾向が強くなって、半固形状のゲル状素材からなるゲル状緩衝部材の高粘性流体的な変形特性に制限が掛かる状態になる。
【００２３】
これに対し、上記構成によれば、半固形状のゲル状素材をシート状体で被覆して構成したゲル状緩衝部材をそれに対する隣接部材と非接着の状態にするから、衝突による衝撃に対し、ゲル状緩衝部材を面方向について非拘束ないしそれに近い状態で高粘性流体的に変形させることができ、これにより、高粘性流体的な変形特性により得られる低い反発性能と高い緩衝性能を一層確実かつ効果的に発揮させることができる。
【００２４】
さらに言えば、上記の如くゲル状緩衝部材と隣接部材とを非接着の状態にして、衝突による衝撃に対し、ゲル状緩衝部材を非拘束ないしそれに近い状態で面方向に変形（即ち、ポアソン効果による直交方向への伸び変形，図４参照）させることで、衝撃エネルギーによるゲル状緩衝部材の面方向への変形が隣接部材により制限されることの反作用として衝撃エネルギーが反発エネルギーの形で弾性的に隣接部材に蓄積されるのを回避することができ、また、衝撃エネルギーの一部をゲル状緩衝部材と隣接部材との面方向での相対移動による摩擦熱として放散させることもでき、これらのことからも反発性能の一層の低減と緩衝性能の一層の向上が可能になる。
【００２５】
なお、ゲル状緩衝部材と隣接部材とが非接着となる状態とは、緩衝層厚み方向におけるゲル状緩衝部材の両側の隣接部材のうち、プロテクター外面側の隣接部材又はプロテクター内面側の隣接部材のいずれか一方のみがゲル状緩衝部材と非接着となる状態、あるいは、プロテクター外面側の隣接部材とプロテクター内面側の隣接部材との両方がゲル状緩衝部材と非接着となる状態のいずれであってもよい。
【００２６】
また、半固形状のゲル状素材を被覆してゲル状緩衝部材を構成するシート状体は、ゲル状緩衝部材な適切な装備が可能な範囲で、ゲル状素材の高粘性流体的な変形を極力大きく許容し得るものにしておくのが望ましい。
【００２７】
本発明の第４特徴構成は、第２又は第３特徴構成の実施に好適な構成であり、その特徴は、
前記ゲル状緩衝部材の厚み寸法が、前記発泡樹脂緩衝部材の厚み寸法よりも小さい寸法に構成されている点にある。
【００２８】
上記構成によれば、半固形状のゲル状素材なからゲル状緩衝部材を発泡樹脂緩衝部材により前述の如く弾性的に支持することにおいて、比重の大きいゲル状緩衝部材を少量化して全体としての重量を小さくすることができ、これにより、前述の如く低い反発性能と高い緩衝性能とを兼ね備えながら、プロテクター着用者の重量面での動作負担を一層軽減することができて、プロテクターの緩衝構造として実用性の一層高いものにすることができる。
【図面の簡単な説明】
【００２９】
【図１】野球又はソフトボール用プロテクターの正面図
【図２】図１のＩＩ−ＩＩ線断面図
【図３】ボールの衝突時の変形状態を示す断面図
【図４】ゲル状緩衝部材と発泡樹脂緩衝部材の変形を概念的に示す模式図
【図５】野球又はソフトボール用プロテクターの別実施形態を示す正面図
【発明を実施するための形態】
【００３０】
図１は、野球やソフトボールのキャッチャー用のプロテクター１（野球又はソフトボール用プロテクターの一例）を示す。このプロテクター１は、身体の胸腹部を被覆可能なプロテクター本体２と、該プロテクター本体２が身体の前腹部に位置する状態で身体に装着するための装着手段としての取付けバンド３とから構成されている。また、プロテクター本体２の外面側には、面方向で分散する状態で複数の衝撃吸収用の緩衝凸部４が区画形成されている。
【００３１】
図１、図２に示すように、プロテクター本体２は、皮革製等の内装材５と、樹脂製のマット状の緩衝材６と、皮革製等の外装材７との３者の積層構造を基本構造とし、内装材５と外装材７との間（具体的には、マット状緩衝材６と外装材７との間）に緩衝凸部４の突出代に相当する厚み寸法の緩衝層８を配して構成されている。なお、１１は、内装材５、樹脂製のマット状緩衝材６、皮革製等の外装材７の３者を一体化する縫着部である。
【００３２】
そして、複数の緩衝凸部４のうち、上下略中央位置の二個（一個又は複数個の一例）の緩衝凸部４Ａ（中央緩衝凸部）の緩衝層８は、素材種の異なる複数の緩衝部材を緩衝層厚み方向（即ち、プロテクター内外方向）に並ぶ状態に積層して構成されている。
【００３３】
また、中央緩衝凸部４Ａを除く他の緩衝凸部４Ｂの緩衝層（図示しない）は、発泡ウレタン樹脂に代表される固形状の樹脂素材などからなる緩衝部材の単層構造或いは積層構造に構成されている。
【００３４】
中央緩衝凸部４Ａの緩衝層８は、全体としての重量を抑えながら低い反発性能と高い緩衝性能が得られるように、比重が大きいものの高粘性流体的な変形特性を有して低い反発性能と高い緩衝性能が発現される半固形状のゲル状素材９ａからなるゲル状緩衝部材９と、発泡樹脂素材からなる発泡樹脂緩衝部材１０とから構成されている。
【００３５】
これらゲル状緩衝部材９と発泡樹脂緩衝部材１０は、緩衝層厚み方向においてゲル状緩衝部材９が発泡樹脂緩衝部材１０の外層側（即ち、プロテクター外面側）に位置し、且つ、ゲル状緩衝部材９と発泡樹脂緩衝部材１０とが緩衝層厚み方向において隣接する状態で配されている。
【００３６】
このため、プロテクター２の内装材５と外装材７との間において、半固形状のゲル状素材９ａからなるゲル状緩衝部材９を発泡樹脂緩衝部材１０により適度な面圧の面接触状態で弾性的に支持して、プロテクターの使用姿勢にからわらず低い反発性能と高い緩衝性能を確実かつ安定して発揮し得る適切な装備状態にゲル状緩衝部材９を保持することができ、また、半固形状のゲル状素材９ａが備える高粘性流体的な変形特性を面方向及び緩衝層厚み方向の両方について十分に活かし得る状態でゲル状緩衝部材９を支持することができる。
【００３７】
そして、図３に示すように、ボール１２が衝撃吸収用の中央緩衝凸部４Ａに衝突したとき、発泡樹脂緩衝部材１０の弾性変形によりゲル状緩衝部材９の窪み湾曲変形をバックアップ的に抑制した状態で、衝撃をゲル状緩衝部材９の面方向へ効果的に分散させて、この分散衝撃成分の夫々に対してゲル状緩衝部材９の高粘性流体的な変形を効果的に生じさせることができ、これにより、ボール１２の衝突に対し低い反発性能と高い緩衝性能を効果的に発揮させて、ボールの跳ね返りを抑制するとともに身体への衝撃伝達を効果的に低減することができる。
【００３８】
ゲル状緩衝部材９は、半固形状のゲル状素材９ａをウレタン樹脂シート９ｂ（シート状体の一例）で被覆して構成されており、ゲル状素材９ａとしては、スチレン系ブロック共重合体及びブチルゴムの一種類又は複数種類のブレンド樹脂をベースとした組成物等が挙げられる。当該組成物等には、必要に応じて、軟化剤、粘着付与樹脂、酸化防止剤のうちの少なくとも一つを配合してもよい。なお、本例では、半固形状のゲル状素材９ａとして、上記組成物等の一例である株式会社加地製の商品名「ＥＸＧＥＬ」（登録商標）を採用している。
【００３９】
マット状の緩衝材６と発泡樹脂緩衝部材１０は夫々、発泡ウレタン樹脂（樹脂素材の一例）から構成されていて、このうち、発泡樹脂緩衝部材１０は、所謂、低反発仕様の発泡ウレタン樹脂から構成されている。
【００４０】
そして、緩衝層厚み方向においてプロテクター外面側から衝撃力が加わったときに中央緩衝凸部４Ａ全体の反発エネルギーを小さくするように、ゲル状緩衝部材９をそれの隣接部材（具体的には、プロテクター内面側の発泡樹脂緩衝部材１０とプロテクター外面側の外装材７）に対して非接着の状態にして配してあり、また、内装材５とマット状緩衝材６、及び、マット状緩衝材６と発泡樹脂緩衝部材１０も夫々、非接着の状態にしてある。
【００４１】
そのため、プロテクター外面側から衝撃が加わったときのゲル状緩衝部材９及び発泡樹脂緩衝部材１０夫々の変形形態（特に、面方向での変形形態）は、模式的に示せば図４に示す如きものになる。
【００４２】
つまり、プロテクター外面側から衝撃Ｐが加わった際、ゲル状緩衝部材９には、図中矢印Ｙ１で示す厚み方向での圧縮変形とともに、ポアソン効果によって図中矢印Ｘ１で示す面方向（厚み方向に対する直交方向）への伸び変形が生じる。
【００４３】
これに対し、ゲル状緩衝部材９に隣接する発泡樹脂緩衝部材１０（隣接部材）はゲル状緩衝部材９と非接着の状態にあることから、ゲル状緩衝部材９の面方向への伸び変形に引っ張られる形態で発泡樹脂緩衝部材１０がゲル状緩衝部材９と同率に面方向に伸び変形することが抑止され、発泡樹脂緩衝部材１０には、図中矢印Ｙ２で示す厚み方向での圧縮変形とともに、自身のポアソン効果により図中矢印Ｘ２で示す面方向への独立的な伸び変形が生じるだけとなる。
【００４４】
従って、ゲル状緩衝部材９の面方向への伸び変形に引っ張られる形態で発泡樹脂緩衝部材１０がゲル状緩衝部材９と同率に面方向に伸び変形することの反作用（換言すれば、衝撃エネルギーによるゲル状緩衝部材９の面方向への変形が発泡樹脂緩衝部材１０により制限されることの反作用）として、衝撃エネルギーが反発エネルギーの形で発泡樹脂緩衝部材１０に蓄積されるのを回避することができ、また、衝撃エネルギーの一部をゲル状緩衝部材９と発泡樹脂緩衝部材１０との面方向での相対移動による摩擦熱として放散させることもでき、これらのことから、反発性能の一層の低減と緩衝性能の一層の向上が可能になる。
【００４５】
また、比重の大きいゲル状緩衝部材９を少量化して全体としての重量を小さくなるように、ゲル状緩衝部材９の厚み寸法ｔ９は発泡樹脂緩衝部材１０の厚み寸法ｔ１０よりも小に構成されている。
【００４６】
低重量化を図りながら低い反発性能と高い緩衝性能を高い次元で得るには、ゲル状緩衝部材９の厚み寸法ｔ９は３〜７ｍｍの範囲が好ましく、発泡樹脂緩衝部材１０の厚み寸法ｔ１０は１０〜３０ｍｍの範囲が好ましく、マット状緩衝材６の厚み寸法ｔ６は３〜７ｍｍの範囲が好ましく、本例では、ゲル状緩衝部材９及びマット緩衝材６の厚み寸法を５ｍｍとし、発泡樹脂緩衝部材１０の厚み寸法ｔ１０を２０ｍｍとしている。
【００４７】
上記の如く構成されたプロテクター１は、速度１２０ｆｐｓ（約１３０ｋｍ／ｈ）相当の圧縮空気により硬式ボールを発射して受板部に配設した緩衝凸部４Ａに衝突させる実験を行ったところ、衝撃吸収用の緩衝凸部４Ａの緩衝層８を低反発性の固形状の樹脂素材のみにより構成した従来のプロテクターと比較して、反発係数（＝反発速度／入射速度）が約３割減少し、受板部に加わる衝撃力がほぼ同等との結果が得られ、低い反発性能と高い緩衝性能が検証された。
【００４８】
［別実施形態］
前述の実施形態では、大型の緩衝凸部４が構成されているプロテクター１における上下中間位置で左右幅方向の略全域に亘る緩衝凸部４Ａにゲル状緩衝部材９が配されている場合を例に示したが、例えば、図５に示すように、小型の緩衝凸部４が構成されているプロテクター１における上下中間位置且つ左右中間位置の緩衝凸部４Ａにゲル状緩衝部材９が配されていてもよい。
【００４９】
前述の実施形態では、一部の緩衝凸部４Ａにゲル状緩衝部材９が配されている場合を例に示したが、全部の緩衝凸部４にゲル状緩衝部材９が配されていてもよい。
【００５０】
前述の実施形態では、隣接する複数個の緩衝凸部４Ａにゲル状緩衝部材９を配する場合を例に示したが、一個の緩衝凸部４だけにゲル状緩衝部材９を配してもよく、或いは、上下方向や左右方向で一個置きとなるなど、間隔を空けた複数個の緩衝凸部４にゲル状緩衝部材９が配されていてもよい。
【００５１】
前述の実施形態では、緩衝層８が、固形状素材からなる一個の緩衝部材と半固形状のゲル状素材からなる一個のゲル状緩衝部材９とが備えられている場合を例に示したが、固形状素材からなる一個又は複数個の緩衝部材と半固形状のゲル状素材からなる一個又は複数個のゲル状緩衝部材９とが備えられていてもよく、また、液状素材からなる一個又は複数個の液状緩衝部材が備えられていてもよい。
【００５２】
前述の実施形態では、ゲル状緩衝部材９が緩衝層８の最外層に配されている場合を例に示したが、最内層や中間層に配されていてもよい。
【００５３】
内装材５や外装材７は、前述の実施形態で示した皮革に限らず、生地などから構成されていてもよい。なお、低い反発性能と高い緩衝性能を得るには、内装材５や外装材７を皮革よりも変形し易い生地から構成するのが好ましく、特に、外装材７を皮革よりも変形し易い生地から構成するのが好ましい。
【００５４】
本発明の緩衝構造は、野球又はソフトボール用プロテクターに限らず心臓震盪防止用等の種々の目的のプロテクターにも適用することができる。
【符号の説明】
【００５５】
２          プロテクター本体
４，４Ａ    緩衝凸部
５          内装材
６          緩衝材
７          外装材、隣接部材
８          緩衝層
９          ゲル状緩衝部材
９ａ        半固形状のゲル状素材
９ｂ        シート状体
ｔ９        ゲル状緩衝部材の厚み寸法
１０        発泡樹脂緩衝部材、隣接部材
ｔ１０      発泡樹脂緩衝部材の厚み寸法
【図１】
0005429669.tif 000002
【図２】
0005429669.tif 000003
【図３】
0005429669.tif 000004
【図４】
0005429669.tif 000005
【図５】
0005429669.tif 000006